(57)【特許請求の範囲】
【請求項１】
光源を備える照明装置において、
前記光源の光を透過させて調色することが可能な調色部と、
該調色部で調色する調色位置と調色しない非調色位置との間で前記調色部を移動させる移動制御部と
を備え、
前記調色部は、
蛍光体を有し前記光源の光を透過する透光板を備え、
前記移動制御部は、
前記調色位置と非調色位置との間で前記透光板を回転移動又は平行移動させるようにしてあり、
さらに、
前記光源の光軸を基板面と略平行にして該光源を実装した基板と、
前記透光板の端側に前記基板面と平行に該透光板を回転させるための軸と
を備え、
前記移動制御部は、
前記透光板が前記基板面に対して垂直方向になる調色位置と前記基板面に対して平行方向になる非調色位置との間で前記透光板を前記軸回りに回転移動させるように構成してあることを特徴とする照明装置。
【請求項２】
前記基板に前記透光板を収容するための収容部を備え、
前記移動制御部は、
前記透光板が前記基板面に対して平行方向になる非調色位置に回転移動させた状態で前記収容部に収容するように構成してあることを特徴とする請求項１に記載の照明装置。
【請求項３】
前記透光板の回転と連動して前記軸回りに回転する反射板を備え、
該反射板は、
前記透光板が前記調色位置に回転移動した場合、該透光板を透過した光を反射するように構成してあることを特徴とする請求項１又は請求項２に記載の照明装置。
【請求項４】
光源を備える照明装置において、
前記光源の光を透過させて調色することが可能な調色部と、
該調色部で調色する調色位置と調色しない非調色位置との間で前記調色部を移動させる移動制御部と
を備え、
前記調色部は、
蛍光体を有し前記光源の光を透過する透光板を備え、
さらに、
前記光源の光軸を基板面と略平行にして該光源を実装した基板と、
該基板に前記透光板を挿通させるための挿通孔と
を備え、
前記移動制御部は、
前記透光板が前記基板面から突出した調色位置と前記挿通孔に挿通された非調色位置との間で前記透光板を平行移動させるように構成してあることを特徴とする照明装置。
【請求項５】
前記光源の光を反射するため表面にドットパターンを付した反射部材を前記基板の表面に備えることを特徴とする請求項１から請求項４までのいずれか１項に記載の照明装置。
【請求項６】
複数の前記光源及び該光源をそれぞれ調色する複数の調色部と、
複数の調色部の中から調色位置に移動させる調色部と非調色位置に移動させる調色部とを選択する選択部と
を備え、
該選択部で調色部を選択して前記光源の発光色と前記調色部で調色した光色との間で調色するように構成してあることを特徴とする請求項１から請求項５までのいずれか１項に記載の照明装置。
【発明の詳細な説明】
【技術分野】
【０００１】
本発明は、光源からの光を調色することができる照明装置に関する。
【背景技術】
【０００２】
住宅の室内用の照明装置としては、従来、白熱電球、蛍光灯などの光源を備えるものが用いられている。一方で、近年、発光ダイオード（ＬＥＤ）の高輝度化に伴い、白熱電球又は蛍光灯などの光源に代えて、低消費電力、長寿命等の特性を有するＬＥＤが照明装置の光源として用いられるようになりつつある。
【０００３】
また、照明装置を使用する時間帯、周囲の環境などに応じて光色を調整することができる調色機能を備える照明装置の要望も高まっている。
【０００４】
例えば、調色機能を備えた照明装置として、基板上に白色のＬＥＤを実装し、ＬＥＤの上部に赤色蛍光体の色変換体を配置し、色変換体をＬＥＤの直上に存在させることにより暖色系の色を出光し、色変換体をＬＥＤの直上に存在させないことにより寒色系の色を出光することができる照明装置が開示されている（特許文献１参照）。
【先行技術文献】
【特許文献】
【０００５】
【特許文献１】特開２０１０−２１００６号公報
【発明の概要】
【発明が解決しようとする課題】
【０００６】
しかし、特許文献１の照明装置は、ＬＥＤの上部に設けた色変換体をシャッターのように開閉するものであるので、色変換体としてのシャッターを開いた場合、ＬＥＤから発せられる光の一部は色変換体を透過せずに出光するものの、残りの光は色変換体を透過して出光するため、ＬＥＤ自身が発する光色を得ることができないという問題がある。このため、調色機能を備えるとともに、調色を施さない光源自身の光色も得たいという要望に応えることができなかった。
【０００７】
本発明は斯かる事情に鑑みてなされたものであり、調色機能を備えつつ、光源自身の光色を得ることができる照明装置を提供することを目的とする。
【課題を解決するための手段】
【０００８】
本発明に係る照明装置は、光源を備える照明装置において、前記光源の光を透過させて調色することが可能な調色部と、該調色部で調色する調色位置と調色しない非調色位置との間で前記調色部を移動させる移動制御部とを備え、前記調色部は、蛍光体を有し前記光源の光を透過する透光板を備え、前記移動制御部は、前記調色位置と非調色位置との間で前記透光板を回転移動又は平行移動させるようにしてあり、さらに、前記光源の光軸を基板面と略平行にして該光源を実装した基板と、前記透光板の端側に前記基板面と平行に該透光板を回転させるための軸とを備え、前記移動制御部は、前記透光板が前記基板面に対して垂直方向になる調色位置と前記基板面に対して平行方向になる非調色位置との間で前記透光板を前記軸回りに回転移動させるように構成してあることを特徴とする。
【０００９】
本発明にあっては、光源の光を透過させて調色することが可能な調色部と、調色部で調色する調色位置と調色しない非調色位置との間で調色部を移動させる移動制御部とを備える。光源の光を調色する場合には、調色部を調色位置に移動させ、光源自身の光色を得たい場合には、調色部を非調色位置に移動させることができるので、調色機能を備えつつ、光源自身の光色を得ることができる。
【００１１】
本発明にあっては、調色部は、蛍光体を有し光源の光を透過する透光板を備え、移動制御部は、調色位置と非調色位置との間で透光板を回転移動又は平行移動させる。光源は、例えば、白色ＬＥＤ（青色ＬＥＤチップを黄色蛍光体で覆ったもの、又は青色ＬＥＤチップを緑色蛍光体及び赤色蛍光体で覆ったもの）である。また、透光板は、例えば、赤色蛍光体及び黄色蛍光体を適宜の割合で含有する蛍光体フィルタである。光源の光を調色する場合には、透光板を回転移動又は平行移動させて光源からの光を透過させる。光源自身の光色を得たい場合には、透光板を回転移動又は平行移動させて光源からの光の通過領域から退避させ、光源からの光が透光板を透過しないようにする。これにより、透光板による調色機能を備えつつ、光源自身の光色（例えば、白色、昼白色など）を得ることができる。
【００１３】
本発明にあっては、光源を実装する基板を備え、光源の光軸を基板面と略平行にしてある。透光板の端側に基板面と平行に透光板を回転させるための軸を備え、移動制御部は、透光板が基板面に対して垂直方向になる調色位置と基板面に対して平行方向になる非調色位置との間で、透光板を軸回りに回転移動させる。光源の光を調色する場合には、透光板を基板面に対して垂直に配置（すなわち、透光板を光軸に対して垂直に配置）し、光源からの光が透光板を透過するようにする。光源自身の光色を得たい場合には、非調色位置として透光板を基板面に平行に配置（すなわち、透光板を光軸に平行に配置）し、光源からの光が透光板を透過しないようにする。これにより、透光板による調色機能を備えつつ、光源自身の光色を得ることができる。
【００１４】
本発明に係る照明装置は、前記基板に前記透光板を収容するための収容部を備え、前記移動制御部は、前記透光板が前記基板面に対して平行方向になる非調色位置に回転移動させた状態で前記収容部に収容するように構成してあることを特徴とする。
【００１５】
本発明にあっては、基板に透光板を収容するための収容部を備える。移動制御部は、透光板が基板面に対して平行方向になる非調色位置に回転移動させた状態で収容部に収容する。非調色位置として、透光板を基板に設けた収容部に収容するので、光源からの光が透光板を透過することを一層防止することができ、光源自身の光色が一層得易くなる。
【００１６】
本発明に係る照明装置は、前記透光板の回転と連動して前記軸回りに回転する反射板を備え、該反射板は、前記透光板が前記調色位置に回転移動した場合、該透光板を透過した光を反射するように構成してあることを特徴とする。
【００１７】
本発明にあっては、透光板の回転と連動して軸回りに回転する反射板を備える。反射板は、透光板が調色位置に回転移動した場合、透光板を透過した光を反射する。透光板を非調色位置から調色位置へ回転移動させた場合、非調色位置にあった透光板が回転移動して存在しなくなった箇所に透光板の回転と連動する反射板が存在するようにすることにより、透光板を透光した光を所要の方向へ反射させ、光の取り出し効率が低下することを抑制することができる。
【００１８】
本発明に係る照明装置は、光源を備える照明装置において、前記光源の光を透過させて調色することが可能な調色部と、該調色部で調色する調色位置と調色しない非調色位置との間で前記調色部を移動させる移動制御部とを備え、前記調色部は、蛍光体を有し前記光源の光を透過する透光板を備え、さらに、前記光源の光軸を基板面と略平行にして該光源を実装した基板と、該基板に前記透光板を挿通させるための挿通孔とを備え、前記移動制御部は、前記透光板が前記基板面から突出した調色位置と前記挿通孔に挿通された非調色位置との間で前記透光板を平行移動させるように構成してあることを特徴とする。
【００１９】
本発明にあっては、光源を実装する基板を備え、光源の光軸を基板面と略平行にしてある。基板に透光板を挿通させるための挿通孔を備え、移動制御部は、透光板が基板面から突出した調色位置と挿通孔に挿通された非調色位置との間で透光板を平行移動させる。光源の光を調色する場合には、透光板が基板面から突出するように配置（すなわち、透光板を光軸に対して垂直に配置）し、光源からの光が透光板を透過するようにする。光源自身の光色を得たい場合には、非調色位置として透光板を基板の挿通孔に挿通させ（すなわち、透光板を平行移動させて挿通孔に挿通させ）、光源からの光が透光板を透過しないようにする。これにより、透光板による調色機能を備えつつ、光源自身の光色を得ることができる。
【００２０】
本発明に係る照明装置は、前記光源の光を反射するため表面にドットパターンを付した反射部材を前記基板の表面に備えることを特徴とする。
【００２１】
本発明にあっては、光源の光を反射するため表面にドットパターンを付した反射部材を基板の表面に備える。反射部材は、基板表面に設けた反射板若しくは反射膜、または基板表面を鏡面処理したものなどである。ドットパターンは、例えば、反射部材の表面に凸部を形成してもよく、あるいは表面に反射性塗料を印刷してもよい。光源の光軸を基板面と略平行にしてあるので、光源からの光は基板の表面に沿って進行する。ドットパターンを付した反射部材を備えることにより、光源からの光はドットパターンで基板面に対して略垂直方向に反射するので、光源から横方向に進行した光を略直角に曲げることができ、灯具の発光面をほぼ均一な輝度で発光させることができる。
【００２２】
本発明に係る照明装置は、複数の前記光源及び該光源をそれぞれ調色する複数の調色部と、複数の調色部の中から調色位置に移動させる調色部と非調色位置に移動させる調色部とを選択する選択部とを備え、該選択部で調色部を選択して前記光源の発光色と前記調色部で調色した光色との間で調色するように構成してあることを特徴とする。
【００２３】
本発明にあっては、複数の光源及び光源をそれぞれ調色する複数の調色部と、複数の調色部の中から調色位置に移動させる調色部と非調色位置に移動させる調色部とを選択する選択部とを備え、選択部で調色部を選択して光源の発光色と調色部で調色した光色との間で調色する。複数の調色部の中から調色位置に移動させる調色部と非調色位置に移動させる調色部とを選択することにより、光源自身の光色を含む所望の光色を得ることができる。
【発明の効果】
【００２４】
本発明によれば、調色機能を備えつつ、光源自身の光色を得ることができる。
【図面の簡単な説明】
【００２５】
【図１】実施の形態１の照明装置の設置例を示す模式図である。
【図２】ＬＥＤを実装した基板の一例を示す要部平面図である。
【図３】ＬＥＤを実装した基板の一例を示す要部側面図である。
【図４】実施の形態１の照明装置の調色機構の要部の一例を示す説明図である。
【図５】実施の形態２の照明装置の調色機構の要部の一例を示す説明図である。
【図６】実施の形態３の照明装置の調色機構の要部の一例を示す説明図である。
【図７】実施の形態１〜３の照明装置の調色機構による一部調色の一例を示す説明図である。
【発明を実施するための形態】
【００２６】
（実施の形態１）
以下、本発明をその実施の形態を示す図面に基づいて説明する。図１は実施の形態１の照明装置１００の設置例を示す模式図である。本実施の形態の照明装置１００は、例えば、天井等の取付面に着脱可能に取り付けることができるシーリングライトであるが、照明装置１００は、シーリングライトに限定されるものではない。
【００２７】
図１に示すように、照明装置１００は、金属製（例えば、アルミニウム製）であって円板状のシャーシ１を天井等に取り付け、シャーシ１には、円板状であって光拡散性を有し、灯具の発光面をなす透光カバー２を取り付けてある。シャーシ１と透光カバー２との間には、支持部材２１により基板３を配置してある。なお、シャーシ１及び透光カバー２の形状は、円形状に限定されるものではなく、矩形状であってもよい。
【００２８】
基板３の表面には、光源としての複数のＬＥＤ４を適宜の間隔を設けて二次元配置してある。なお、ＬＥＤ４の光軸は、後述するように、基板３の表面に略平行である。基板３の裏面側には、ＬＥＤ４に所要の電力を供給するための電源部２０をシャーシ１に固定してある。基板３の表面は、例えば、反射板若しくは反射膜を設けてあり、ＬＥＤ４から発せられた光を透光カバー２の方へ反射させることができる。
【００２９】
図２はＬＥＤ４を実装した基板３の一例を示す要部平面図である。上述のとおり、基板３には、複数のＬＥＤ４を適長離隔して二次元配置してある。図２の例は、透光カバー２を外した状態で基板３の表面側の一部を見た状態を示す。図２の例では、６個のＬＥＤ４（４ａ〜４ｆ）を配置した部分を示す。
【００３０】
各ＬＥＤ４（４ａ〜４ｆ）は、光軸が基板３の表面と略平行をなし、図２に示すように矩形状のＬＥＤ４の４辺のうち１辺側（発光端４５側）から光（図２の破線で示す矢印）が発せられる。そして、ＬＥＤ４ａ〜４ｆのうち、ＬＥＤ４ａ、４ｃ、４ｅには、調色部（透光板）としての蛍光体フィルタ５を調色位置である発光端４５側に配置してある。また、ＬＥＤ４ｂ、４ｄ、４ｆについては、蛍光体フィルタ５を発光端４５側から離隔させた非調色位置へ退避させてある。なお、各蛍光体フィルタ５は、後述のように、調色位置と非調色位置との間で移動させることができる。
【００３１】
基板３の表面には、ＬＥＤ４の光を反射するため表面にドットパターンを付した反射部材３１を設けてある。反射部材３１は、反射板、反射シート、反射膜などである。ドットパターンは、例えば、反射部材３１の表面に凸部を形成してもよく、あるいは表面に反射性塗料を印刷してもよい。反射部材３１は、例えば、ポリエチレンテレフタレートなどの合成樹脂製であり、表面に反射性塗装（例えば、白色塗装）などの反射処理を施してある。
【００３２】
ドットパターンの形状は、円形状でもよく、あるいは三角形状、四角形状、五角形状等の多角形状、楕円形状などであってもよい。また、ドットパターンの配置は格子状でもよく、同心円状でもよい。
【００３３】
図３はＬＥＤ４を実装した基板３の一例を示す要部側面図である。図３に示すように、ＬＥＤ４の光軸を基板面と略平行にしてあるので、ＬＥＤ４からの光は基板３の表面に沿って進行する。ドットパターンを付した反射部材３１を備えることにより、ＬＥＤ４からの光はドットパターンで基板面に対して略垂直方向に反射するので、ＬＥＤ４から横方向に進行した光を略直角に曲げることができ、透光カバー２（灯具の発光面）をほぼ均一な輝度で発光させることができる。
【００３４】
図４は実施の形態１の照明装置１００の調色機構の要部の一例を示す説明図である。図４の例では、簡略化のため２つのＬＥＤ４を例示する。図４に示すように、ＬＥＤ４は、パッケージ４１、パッケージ４１の装着部に装着されたＬＥＤチップ４２、パッケージ４１の装着部にＬＥＤチップ４２を覆うようにして充填された蛍光体４３を含有したシリコーン樹脂などを備える。ＬＥＤチップ４２で発せられた光は、蛍光体４３で色変換され、発光端４５から基板３の表面に略平行（横向き）に放射される。ＬＥＤ４の高さ方向の寸法（発光端４５の寸法）は、例えば、２ｍｍ程度である。
【００３５】
ＬＥＤチップ４２は、例えば、青色ＬＥＤチップであり、蛍光体４３は、黄色蛍光体、あるいは緑色蛍光体と赤色蛍光体とを混合した蛍光体である。これにより、ＬＥＤ４は、白色又は昼白色の光を発することができる。
【００３６】
実施の形態１の調色機構（調色部）は、蛍光体フィルタ５、基板面に平行に設けられ、蛍光体フィルタ５を調色位置と非調色位置との間で回転移動させるための軸７などを備える。また、蛍光体フィルタ５の回転と連動して軸７回りに回転する反射板６などを備える。蛍光体フィルタ５と反射板６とは、軸７を中心として略直角をなして固定されている。
【００３７】
また、上述の蛍光体フィルタ５（調色部）を調色位置と非調色位置との間で回転移動させる。移動制御部は、反射板６に設けられたフェライトラバー６１、蛍光体フィルタ５及び反射板６を回転移動させるための駆動力源としての強磁性体８などを備える。
【００３８】
また、いずれの蛍光体フィルタ５（調色部）を調色位置又は非調色位置に移動させるかを選択する選択部としてのマイクロコンピュータ９を備える。
【００３９】
蛍光体フィルタ５は、フィルタ自体に強度を持たせたもの、すなわち強度のある透光性樹脂に蛍光体を混合したものでもよく、あるいは強度を持たせたフレーム（枠部材）に強度が弱いフィルタを固定したものでもよい。
【００４０】
パッケージ４１の装着部を形成する側壁の厚みは、ＬＥＤチップ４２からの光がパッケージ４１を透過してもよい程度に薄くすることができる。また、パッケージ４１の外形は、他のＬＥＤ４からの光が透光カバー２の方へ反射するように傾斜面を形成することもできる。
【００４１】
図４において、左方のＬＥＤ４では、蛍光体フィルタ５を調色位置に移動した状態となっている。この状態では、マイクロコンピュータ９は、強磁性体８とフェライトラバー６１とがお互いに反発し合う電磁界が発生するように強磁性体８を駆動する。また、右方のＬＥＤ４では、蛍光体フィルタ５を非調色位置に移動した状態となっている。この状態では、マイクロコンピュータ９は、強磁性体８とフェライトラバー６１とがお互いに引き合う電磁界が発生するように強磁性体８を駆動する。
【００４２】
ＬＥＤ４の光を調色することが可能な蛍光体フィルタ５（調色部）と、蛍光体フィルタ５で調色する調色位置と調色しない非調色位置との間で蛍光体フィルタ５を回転移動させる。例えば、ＬＥＤ４の光を調色する場合には、図４の左方のＬＥＤ４のように、蛍光体フィルタ５をＬＥＤ４の発光端４５に近づけた調色位置に移動させる。また、ＬＥＤ４自身の光色を得たい場合には、図４の右方のＬＥＤ４のように、蛍光体フィルタ５をＬＥＤ４の発光端４５から退避させた非調色位置に移動させることができるので、調色機能を備えつつ、光源（ＬＥＤ４）自身の光色を得ることができる。
【００４３】
また、透光フィルタ５は、例えば、赤色蛍光体及び黄色蛍光体を適宜の割合で含有する蛍光体フィルタである。ＬＥＤ４の光を調色する場合には、透光体フィルタ５を回転移動させて透光フィルタ５をＬＥＤ４に対向させた調色位置に移動させ、ＬＥＤ４からの光を透光体フィルタ５に透過させる。ＬＥＤ４自身の光色を得たい場合には、上記調色位置から透光フィルタ５を回転移動させてＬＥＤ４からの光の通過領域から退避させ非調色位置に移動し、ＬＥＤ４からの光が蛍光体フィルタ５を透過しないようにする。これにより、蛍光体フィルタ５による調色機能を備えつつ、蛍光体フィルタ５で調色した光色、例えば、電球色と、ＬＥＤ４自身の光色（例えば、白色、昼白色など）とを得ることができる。
【００４４】
また、蛍光体フィルタ５を回転させるための軸７を基板３の表面と平行に設け、マイクロコンピュータ９は、強磁性体８を駆動して、蛍光体フィルタ５が基板面に対して垂直方向に配された調色位置と基板面に対して平行方向に配された非調色位置との間で、蛍光体フィルタ５を軸７回りに回転移動させる。ＬＥＤ４の光を調色する場合には、蛍光体フィルタ５を基板面に対して垂直に配置（すなわち、蛍光体フィルタ５を発光端４５に近づけて（又は接触させて）光軸に対して垂直に配置）し、ＬＥＤ４からの光が蛍光体フィルタ５を透過するようにする。一方、ＬＥＤ４自身の光色を得たい場合には、非調色位置として蛍光体フィルタ５を基板面に平行に配置（すなわち、蛍光体フィルタ５を発光端４５から離隔させて光軸に平行に配置）し、ＬＥＤ４からの光が蛍光体フィルタ５を透過しないようにする。これにより、蛍光体フィルタ５による調色機能を備えつつ、ＬＥＤ４自身の光色を得ることができる。また、調色機能を得るために２種類のＬＥＤを設ける必要がなく、また調色状態に応じて、いずれか一方の種類のＬＥＤを発光させずに未使用の状態にする必要もないので、使用状態に応じて無駄となるＬＥＤを装着することを防ぐことができる。
【００４５】
また、図４に示すように、基板３に蛍光体フィルタ５を収容するための収容部３２を設ける。収容部３２は、例えば、基板３に形成され、蛍光体フィルタ５よりも若干寸法の大きい溝、穴、孔などである。マイクロコンピュータ９は、強磁性体８を制御して、蛍光体フィルタ５が基板面に対して平行方向になる非調色位置に回転移動させた状態で収容部３２に収容する。また、調色位置として蛍光体フィルタ５を基板面に対して垂直に配した場合には、反射板６が基板３の表面とほぼ平行になるように収容部３２に配される。非調色位置として、蛍光体フィルタ５を基板３に設けた収容部３２に収容するので、ＬＥＤ４からの光が蛍光体フィルタ５を透過することを一層防止することができ、ＬＥＤ４自身の光色が一層得易くなる。
【００４６】
また、蛍光体フィルタ５の回転と連動して軸７回りに回転する反射板６を備える。反射板６は、蛍光体フィルタ５が調色位置に回転移動した場合、蛍光体フィルタ５を透過した光を反射する。蛍光体フィルタ５を非調色位置から調色位置へ回転移動させた場合、非調色位置にあった蛍光体フィルタ５が回転移動して存在しなくなった箇所（収容部３２）に反射板６が存在するようにすることにより、蛍光体フィルム５から基板３の裏面側に漏れ出る光をなくし、蛍光体フィルタ５を透過した光を所要の方向（透光カバー２の方向）へ反射させ、光の取り出し効率が低下することを抑制することができる。
【００４７】
上述の実施の形態では、蛍光体フィルタ５を回転移動させるため電磁力を利用する構成であったが、これに限定されるものではなく、蛍光体フィルタ５を回転移動させることができる構成であれば、どのような構造のものを用いてもよく、例えば、回転角を調整することができるギアなどを用いた回転駆動機構を採用することができる。
【００４８】
（実施の形態２）
図５は実施の形態２の照明装置１００の調色機構の要部の一例を示す説明図である。実施の形態１では、蛍光体フィルタ５の回転と連動して回転する反射板６を備える構成であったが、実施の形態２では、反射板６に代えて、基板３に固定された反射板３５を備える構成である。また、強磁性体８に代えて、蛍光体フィルタ５を軸７回りに回転移動させるためのギアなどを有する回転制御機構１０を備える。
【００４９】
図５に示すように、基板３に設けられ、蛍光体フィルタ５を収容するための収容部３４に、収容部３４を基板３の裏面から覆うように蛍光体フィルタ５と略同寸法の反射板３５を設ける。これにより、蛍光板フィルタ５の位置が調色位置であるか非調色位置であるかに関わらず、収容部３４を通過して基板３の裏側へ漏れる光による光損失を低減することができる。なお、反射板３５は、基板３と一体成型したものでもよく、別個の部材でもよい。
【００５０】
（実施の形態３）
図６は実施の形態３の照明装置１００の調色機構の要部の一例を示す説明図である。実施の形態１、２では、蛍光体フィルタ５を回転移動させる構成であったが、蛍光体フィルタ５を平行移動させることにより、調色位置と非調色位置との間を移動させることもできる。
【００５１】
図６に示すように、基板３に蛍光体フィルタ５を挿通させるための挿通孔３６を設け、蛍光体フィルタ５を平行移動することができるサーボ機構１１により、蛍光体フィルタ５が基板３の表面から突出し基板面に対して垂直方向に配された調色位置と、蛍光体フィルタ５を挿通孔３６に挿通した非調色位置との間で蛍光体フィルタ５を平行移動させる。
【００５２】
サーボ機構１１は、蛍光体フィルタ５を、ＬＥＤ４の発光端４５を覆う調色位置から、挿通孔３６に挿通され発光端４５を遮らない非調色位置との間の距離（例えば、２ｍｍ程度）を平行移動させることができるものであれば、どのような構造のものでもよい。例えば、サーボモータを用いるものに限定されず、ソレノイドプランジャーのような機構のものでもよい。
【００５３】
ＬＥＤ４の光を調色する場合には、蛍光体フィルタ５を基板面に対して垂直に配置（すなわち、蛍光体フィルタ５をＬＥＤ４の光軸に対して垂直に配置）し、ＬＥＤ４からの光が蛍光体フィルタ５を透過するようにする。一方、ＬＥＤ４自身の光色を得たい場合には、非調色位置として蛍光体フィルタ５の全部を基板３の挿通孔３６に挿通させ（すなわち、蛍光体フィルタ５を平行移動させて挿通孔３６に挿通させ）、ＬＥＤ４からの光が蛍光体フィルタ５を透過しないようにする。これにより、蛍光体フィルタ５による調色機能を備えつつ、ＬＥＤ４自身の光色を得ることができる。
【００５４】
上述の実施の形態では、蛍光体フィルタ５でＬＥＤ４の発光端４５を完全に覆うか、あるいは発光端４５を遮らずＬＥＤ４から退避させる両方の位置の間を回転移動又は平行移動させる構成であったが、蛍光体フィルタ５でＬＥＤ４の発光端４５の一部を遮る（覆う）ことにより調色度合を変化させることもできる。
【００５５】
図７は実施の形態１〜３の照明装置１００の調色機構による一部調色の一例を示す説明図である。図７Ａは蛍光体フィルタ５を回転移動させる場合を示し、図７Ｂは蛍光体フィルタ５を平行移動させる場合を示す。図７Ａに示すように、蛍光体フィルタ５をＬＥＤ４の発光端４５に対して角度θだけ傾斜させた位置を調色位置として設ける。複数のＬＥＤ４それぞれに対して、異なる角度θで蛍光体フィルタ５を傾斜させてもよく、同じ角度θで傾斜させてもよい。
【００５６】
図７Ｂに示すように、蛍光体フィルタ５をＬＥＤ４の発光端４５の距離Ｌの部分だけ遮らないように基板３の挿通孔３６に挿通させ、発光端４５の一部だけを蛍光体フィルタ５で覆う。なお、複数のＬＥＤ４それぞれに対して、異なる距離Ｌで蛍光体フィルタ５を配してもよく、同じ距離Ｌで配してもよい。
【００５７】
照明装置１００として調色する場合には、例えば、照明装置１００を昼白色（白色）で点灯させる場合には、基板３に実装したＬＥＤ４のすべてに対して蛍光体フィルタ５を非調色位置にし、蛍光体フィルタ５なしの状態で全ＬＥＤ４を点灯させる。また、照明装置１００を電球色で点灯させる場合には、基板３に実装したＬＥＤ４のすべてに対して蛍光体フィルタ５を調色位置にし、蛍光体フィルタ５ありの状態で全ＬＥＤ４を点灯させる。
【００５８】
また、照明装置１００を昼白色と電球色との間の中間色で点灯させる場合には、図２に示すように基板３に実装したＬＥＤ４の一部に対して蛍光体フィルタ５を非調色位置にして蛍光体フィルタなしの状態でＬＥＤ４を点灯させ、残りのＬＥＤ４に対して蛍光体フィルタ５を調色位置にして蛍光体フィルタ５ありの状態でＬＥＤ４を点灯させる。蛍光体フィルタ５ありのＬＥＤ４と蛍光体フィルタ５なしのＬＥＤ４との数を変更することにより、昼白色と電球色との間の中間色での調色が可能となる。
【００５９】
また、調色方法は、蛍光体フィルタ５が有る（調色位置）ＬＥＤ４と、蛍光体フィルタ５が無い（非調色位置）ＬＥＤ４との比率で調色する方法に限定されるものではなく、図７に示したように、それぞれのＬＥＤ４に対する蛍光体フィルタ５のカバー領域（角度θ、距離Ｌ）を変更することによっても可能である。
【００６０】
図２の例では、ＬＥＤ４をマトリクス状に二次元配置した例を示したが、ＬＥＤ４の配置は、図２の例に限定されるものではない。例えば、基板３の中央部（透光カバー２の中央に対応する位置）から基板３の外周部（透光カバー２の周縁部）へ向かって放射状に配置し、ＬＥＤ４からの光を周辺に向かって発するようにしてもよく、逆に透光カバー２の周辺部に対応する位置にＬＥＤ４を周設し、中央部に向かって光を発するように配置してもよい。
【００６１】
上述の実施の形態では、蛍光体フィルタ５をＬＥＤ４の光が透過しない非調色位置に退避させることができるので、調色機能を備えつつ、ＬＥＤ４自身の光色で発光させることができる。すなわち、調色可能な色度の範囲を広くすることが可能となる。
【００６２】
また、ＬＥＤ４からの光を基板３の表面で透光カバー２の方へ反射させて透光カバー２から外部へ放射させることができるので、ＬＥＤ４の実装箇所だけではなくＬＥＤ４の実装面全体から反射光が放射され、拡散率が高く光透過率の低い拡散板を使用する必要がない。このため、非常に透過率の高い拡散板（透光カバー）を使用することができ、光の取り出し効率を向上させることができる。また、配光を広げることができるが光の取り出し効率が低減するレンズ又は導光板などが不要となる。
【００６３】
さらにまた、上記実施の形態１〜３では、非調色位置における蛍光体フィルタ５が基板３に形成された収容部に収容されてあるので、蛍光体フィルタ５を調色位置と非調色位置との間で移動させるフェライトラバーや強磁性体、サーボ機構等の種々の移動制御部を基板３の裏面側に設けることが可能となる。すなわち、当該移動制御部が基板３の表面側に実装されたＬＥＤ４からの光を遮蔽することがない。
【００６４】
一方、従来技術のごとくＬＥＤの照射方向側であるＬＥＤ上部に設けた色変換体を、該ＬＥＤ上部側で移動させて調色を行う照明装置では、蛍光体フィルタを移動させるための移動制御部がＬＥＤの照射方向側に位置するためＬＥＤからの光を遮蔽する虞がある。従って、本発明によれば移動制御部によりＬＥＤからの光が遮蔽されることがないので、上記従来の照明装置に比較して光取り出し効率を向上させることが可能である。
【００６５】
また、ＬＥＤ４の実装面全体から反射光が放射させることができるので、灯具を一様に光らせるために従来のように拡散板（透光カバー）をＬＥＤ４（基板表面）から相当程度離して取り付ける必要がなくなり、シャーシと透光カバーとの離隔距離を短くして薄型の照明装置を実現することができる。
【００６６】
また、従来であれば、調色を行うためには、２種類の発光色を有するＬＥＤを実装する必要があり、またどちらか一方の発光色で使用する場合には、他方のＬＥＤを全く使用しない無駄な状態が発生していたが、本実施の形態では、１種類のＬＥＤだけを実装すればよく、また無駄な使用状態が発生することもない。
【００６７】
上述の実施の形態では、シーリングライトとしての照明装置について説明したが、照明装置は、シーリングライトに限定されるものでなく、他の照明装置であってよい。また、光源としてＬＥＤモジュールを備える照明装置について説明したが、光源はＬＥＤモジュールに限定されるものではなく、ＥＬ（Electro-Luminescence）など他の光源でもよい。
【００６８】
上述の実施の形態では、ＬＥＤ４の光軸を基板３の表面と略平行になるようにＬＥＤ４を実装する構成であったが、光軸が基板３の表面と略垂直になるようにＬＥＤ４を実装してもよい。
【符号の説明】
【００６９】
１  シャーシ
２  透光カバー
３  基板
４  ＬＥＤ（光源）
４２  ＬＥＤチップ
４５  発光端
５  蛍光体フィルタ（調色部、透光板）
３１  反射部材
６  反射板
６１  フェライトラバー（移動制御部）
７  軸（調色部）
８  強磁性体（移動制御部）
９  マイクロコンピュータ（移動制御部、選択部）
１０  回転制御機構（移動制御部）
１１  サーボ機構（移動制御部）
３２、３４  収容部
３６  挿通孔
【図１】
0005631226.tif 000002
【図２】
0005631226.tif 000003
【図３】
0005631226.tif 000004
【図４】
0005631226.tif 000005
【図５】
0005631226.tif 000006
【図６】
0005631226.tif 000007
【図７】
0005631226.tif 000008